(57)【要約】【目的】本発明はスピード効率化を図る箱形パッケージの閉塞シール部を折り当て貼着する方法およびその装置を新規に提供することを目的とするものである。【構成】本発明は間歇走行するコンベア上にて箱形パッケージの帯状の閉塞シール部を一側に折り倒し、前記両側の張出し部下の箱形パッケージの両側外面に溶着可能の予熱を与えておいて、該折り倒しされた両側の張出し部をパッケージ両側外面に折り当てて且つ折り倒した帯状の閉塞シール部を箱形パッケージの上面上に押し付けつつ折り当てた張出し部の外側から押し加熱して内面溶着するようにした箱形パッケージの閉塞シール部の折り当て貼着方法において、前記両側の張出し部の折り当て工程を外側からの押し加熱のための停止位置直前の走行中に行うようにしたことを特徴とする箱形パッケージの閉塞シール部の折り当て貼着方法およびその装置にある。【選択図】　　　　図４
2004099045.tif 000002
【特許請求の範囲】
【請求項１】
移動のための走行と作業のための停止を繰返して間歇走行するコンベア上にて定数個づつのティーバッグ等を順次充填する箱形パッケージの上端開口部を両側に張出し部を持って帯状に突合わせて該突合わせ部を閉塞する帯状の閉塞シール部を形成し、該帯状の閉塞シール部を一側に折り倒し、前記両側の張出し部下の箱形パッケージの両側外面に溶着可能の予熱を与えておいて、該折り倒しされた両側の張出し部をパッケージ両側外面に折り当てて且つ折り倒した帯状の閉塞シール部を箱形パッケージの上面上に押し付けつつ折り当てた張出し部の外側から押し加熱して内面溶着するようにした箱形パッケージの閉塞シール部の折り当て貼着方法において、前記両側の張出し部の折り当て工程を外側からの押し加熱のための停止直前の走行中に行うようにしたことを特徴とする箱形パッケージの閉塞シール部の折り当て貼着方法。
【請求項２】
移動のための走行と作業のための停止を繰返して間歇走行するコンベアと、該コンベア上に載せた箱形パッケージ内に定数個づつのティーバッグ等を順次充填する充填手段と、該箱形パッケージの上端開口部を両側に張出し部を持って突合わせして帯状の閉塞シール部を形成する手段と、該閉塞シール部を一側に折り倒す手段と、前記両側の張出し部下の箱形パッケージの両側外面に溶着可能の予熱を与える手段と、前記折り倒しされた両側の張出し部をパッケージの両側外面に折り当てる手段と、該折り当てされた張出し部の外側から押し加熱して内面溶着させる手段および押し加熱のときに折り倒した帯状の閉塞シール部を箱形パッケージの上面上に押し付ける手段とからなる装置において、前記両側の張出し部をパッケージの両側外面に折り当てる手段を外側から押し加熱する手段の直前のコンベア走行区間に設けたことを特徴とする箱形パッケージの閉塞シール部の折り当て貼着装置。
【発明の詳細な説明】
【０００１】
【発明が属する技術分野】
この発明は箱形パッケージ上部の閉塞シール部を箱形パッケージに沿わして折り当てて貼着する方法およびその装置に関するものである。
【０００２】
【従来の技術】
従来、この種の箱形パッケージｐは図１０に示すようにティーバッグ等の内容物を充填した後、上端の開口部を突合わせて帯状にて熱シールｓ閉塞し、これを一側に折り倒してからさらに両側の張り出し部を箱形パッケージｐの両側外面に折り下げ当てて外側から内面を溶かすように強い熱加圧を加えて溶着するようにしてきたものであるが、折り当てた張出し部を外側から強く熱加圧して溶着することによって張出し部の両側外面が溶けて溶着じわχを生ずるという課題があり、また折り倒した帯状の閉塞シール部が箱形パッケージｐの上面より浮き上がって箱形パッケージｐの上面との間で間隙уが生じて外観を損なうという課題があった。これらの課題を解決しようとして本願出願人は特願２００２−３６４２２にて、コンベア上にて定数個づつのティーバッグ等を順次充填し間歇走行する箱形パッケージの上端開口部を両側に張出し部を持って帯状に突合わせ、該突合わせ部を閉塞する帯状の閉塞シールをして後、該帯状の閉塞シールを一側に折り倒し、前記両側の張出し部下の箱形パッケージの両側外面に溶着可能の予熱を与えておいて、該折り倒しされた両側の張出し部を箱形パッケージ両側外面に折り当てて内面溶着することを特徴とする箱形パッケージの閉塞シール部の折り当て貼着方法およびコンベア上にて定数個づつのティーバッグ等を順次充填し間歇走行する箱形パッケージ手段と、該箱形パッケージの上端開口部を両側に張出し部を持って突合わせする手段と、該帯状の突合わせ部を閉塞シールし、一側に折り倒す手段と、前記両側の張出し部下の箱形パッケージの両側外面に溶着可能の予熱を与える手段と、折り倒しされた両側の張出し部をパッケージの両側外面に折り当てて内面溶着させる手段とを備えたことを特徴とする箱形パッケージの閉塞シール部の折り当て貼着装置の提案をした。
【０００３】
【発明が解決しようとする課題】
ところで、折り倒しされた両側の張出し部を箱形パッケージ両側外面に折り当てる工程と折り当てた張出し部の外側から押し加熱して内面溶着する工程は経時的作業であり同時にすることができないので、先づ１の停止位置において折り倒しされた両側の張出し部を箱形パッケージ両側外面に折り当てる工程を行い、次いで走行移送の後の停止位置にて折り当てた張出し部の外側から押し加熱して内面溶着する工程を行うこととなる。そして折り当てた張出し部が走行移送の間に戻り上がりしないようにするためには外側から押えるガイドレールが必要であるが、側面に折り当てられた張出し部は溶着が完了していないために走行時のガイドレールとの摩擦によって図１１に示すように撚れ曲がってしまうという問題が生ずる。これを防止するためにはガイドレールを設けるかわりに折り当て手段をコンベアの走行と同調させて移動するようにすれば解決することができるが、折り当て作業と移動および元位置への高速復帰とを繰返す複雑な構成の折り当て手段を設けることは非常に高価となり且つ早期の故障を生ずる原因になるという課題がある。また１の停止場所で折り当て工程と押し加熱工程とを順次行うようにするも考えられるが、短い停止時間内に２つの工程を行うと内面接着させるに充分な押し加熱時間を確保することができないという課題が生じ、このために停止時間を長く設定すれば、他の工程位置におけるすべての停止時間も無駄に長くなってしまうこととなるので作業スピードの効率化が図れないという課題が生ずることとなる。
【０００４】
【課題を解決するための手段】
本発明は移動のための走行と作業のための停止を繰返して間歇走行するコンベア上にて定数個づつのティーバッグ等を順次充填する箱形パッケージの上端開口部を両側に張出し部を持って帯状に突合わせて該突合わせ部を閉塞する帯状の閉塞シール部を形成し、該帯状の閉塞シール部を一側に折り倒し、前記両側の張出し部下の箱形パッケージの両側外面に溶着可能の予熱を与えておいて、該折り倒しされた両側の張出し部を箱形パッケージ両側外面に折り当てて且つ折り倒した帯状の閉塞シール部を箱形パッケージの上面上に押し付けつつ折り当てた張出し部の外側から押し加熱して内面溶着するようにした箱形パッケージの閉塞シール部の折り当て貼着方法において、前記両側の張出し部の折り当て工程を外側からの押し加熱のための停止位置直前の走行中に行うようにしてして、かかる課題を解決するようにしたのである。
【０００５】
【発明の実施の形態】
箱形パッケージ１は図１に示すように間歇走行するコンベア２上の各停止作業位置にて、ティーバッグｔなどの内容物を１０個等の定数個にて順次充填し、図２に示すように上端の開口部１ａを帯状に突合わせて閉塞シール部１ｂが形成される。１ｃ，１ｃは閉塞シール部１ｂ下で側方に突出した張出し部、１ｄは開封後の開閉に用する対向内面に設けた開閉チャック帯である。
【０００６】
本発明の装置はさらに図３に示すように前記コンベア２の上方の位置に張出し部１ｃ，１ｃを含んで立っている閉塞シール部１ｂを一側に折り倒しすると同時に箱形パッケージ１を安定支持するための上部押えバー３と張出し部１ｃ，１ｃが側面に垂れ下がるのを防止する下支えバー４ａ，４ｂと、コンベア２の両側方に進退自在に設けた箱形パッケージ１の側面を溶着可能に加熱する２組の予熱具５ａ，５ｂと、張出し部１ｃ，１ｃを下方に折り倒して箱形パッケージの側面１ｅに折り当てる折り当て具６ａ，６ｂと、張出し部１ｃ，１ｃの戻り上がりを抑えるガイドレール７ａ，７ｂと、折り当てされた張出し部１ｃ，１ｃを溶着可能に予熱された箱形パッケージ１の側面１ｅに押し付け且つ外面が溶けない程度に加熱する２組の押し加熱具８ａ，８ｂと同位置のコンベア２上の中央に一側に倒された閉塞シール部１ｂを箱形パッケージ１の上面上に隙間なく押し付け接面する上面押え具９と、内面溶着部分を冷却して形状安定を促進するための冷却具１０とを設けている。なお摩擦を生ずる作業に供する折り当て具６ａ，６ｂやガイドレール７ａ，７ｂ等の接触面には可及的に摩擦を軽減するフッ素樹脂等の公知の素材を使用している。
【０００７】
開口部１ｂが密封閉塞された箱形パッケージ１はコンベア２上に並列して間歇走行し、図４乃至図６に示すように走行しながら上部押えバー３により閉塞シール部１ｂが一側に折り倒し押さえされ且つ下支えバー４ａ，４ｂにて張出し部１ｃ，１ｃの下面を支えた安定した姿勢状態となり、図４，図６に示すように側方から前進する予熱具５ａ，５ｂの加熱により箱形パッケージ１の両側面１ｅ，１ｅの一部を溶着可能な半溶融の状態に予熱し、さらなる移動により上部押えバー３と下支えバー４ａ，４ｂから解放されて、図４，図７に示すように両側の上方より下動する折り当て具６ａ，６ｂの下動にて下支えを解かれた張出し部１ｃ，１ｃを箱形パッケージ１の両側面１ｅ，１ｅの方向に折り下げ倒し、図４に示すように直後に続くガイドレール７ａ，７ｂにて張出し部１ｃ，１ｃの戻り上がりを抑えつつ、中央から下動する上面押え具９が図８に示すように折り倒された閉塞シール１ｂの全面を箱形パッケージ１の上面上に押し付けておいてガイドレール７ａ，７ｂの切欠部から前進する押し加熱具８ａ，８ａにより張出し部１ｃ，１ｃの内面を箱形パッケージ１の側面の予熱により半溶融した外面部分に押し付けて張出し部１ｃ，１ｃを内面溶着させるのである。この際押し加熱具８ａ，８ｂにて張出し部１ｃ，１ｃの表面が溶けない程度に熱を加えるようにしたので、パッケージ側面１ｅ，１ｅの予熱された部分の半溶融状態が保たれて、張出し部１ｃ，１ｃと側面１ｅ，１ｅ間の溶着を確実なものとして図９に示すように表面に溶着じわがなく閉塞シール部１ｂの上面の浮き上がりもない端正な折り当て貼着を行うことができるものとなる。なお、図では予熱具５ａ，５ｂおよび押し加熱具８ａ，８ｂはともに２組において設けられているが１組または３組等において設けることもある。また押し加熱加工の後に冷却具１０ａ，１０ｂを備えて溶着部の温度を下げて成形状態を迅速に固定化させることができるようになっている。
【０００８】
以上の装置において、予熱具５ａ，５ｂによる予熱工程、押し加熱具８ａ，８ｂによる内面溶着の工程等は間歇走行の各停止位置にて行なわれるようにしているのであるが、折り当て具６ａ，６ｂによる張出し部１ｃ，１ｃの折り当て工程は図４に示すように内面溶着工程の直前の走行中にて行うように折り当て具６ａ，６ｂを配置するのである。これにより直後の停止時間のすべてを内面溶着の工程の作業に用いることができることとなるので、押し加熱による内面溶着工程は加工に充分な時間を得ることができて確実に行われることとなる。折り当て工程を押し加熱工程の直前で行うようにしたので、両者を２つの停止位置のそれぞれにて行うようにした場合の長い区間の移動走行の摩擦による張出し部１ｃ，１ｃの撚れ曲がり等のみだれが生ずるおそれはなく、また１の停止位置にて両者の工程を行うようにした場合の時間不足による内面溶着ミスの発生やミスをさけるために停止時間を長くして全体のスピード効率を悪化させることもなく、間歇走行の停止時間を押し加熱による内面溶着が確実となる最短時間に設定することができることとなる。
【０００９】
【発明の効果】
本発明は以上のようにして予熱を与え、閉塞シール部の両側の張出し部を箱形パッケージの両側外面に折り当てて外側からの押し加熱により内面溶着するようにして溶着じわの発生を解消するようにした箱形パッケージの閉塞シール部の折り当て貼着方法および装置において、張出し部の折り当て工程を押し加熱の内面溶着工程直前のコンベア走行中に行うようにしたので、外観を極めて良好とする箱形パッケージを確実な作業を保証しつつ流れ全体における無駄な停止時間の延長をさけるスピード効率化を促進することができるという効果を生ずる。
【図面の簡単な説明】
【図１】ティーバッグ等の充填前の箱形パッケージを示す斜視図
【図２】同、充填後開口部を閉塞シールした状態を示す各方面図
【図３】本発明装置の平面図
【図４】作業工程図
【図５】上部押えバーと下支えバーによる張出し部の支え状態を示す側面図
【図６】同、予熱具により箱形パッケージの両側面に予熱を与えている状態を示す部分正面図
【図７】（ａ）箱形パッケージが折当て具下に相対した状態を示す部分正面図、同、張出し部を折り当てした状態を示す部分正面図
【図８】（ａ）は上面押え具による帯状シール部の箱形パッケージ上面への押付けと押し加熱具による内面溶着の工程を示す部分正面図、（ｂ）は同、押し加熱具を省略して示す側面図
【図９】加工を終えた箱形パッケージの側面図
同、部分側面図
【図１０】従来例図
【図１１】同、折り当てされた張出し部が移動の摩擦により撚れ曲がりみだれした状態を示す箱形パッケージ側面図
【符号の説明】
１は箱形パッケージ
１ａは開口部
１ｂは閉塞シール部
１ｃ，１ｃは張出し部
１ｄは開閉チャック
２はコンベア
３は上部押えバー
４ａ，４ｂは下支えバー
５ａ，５ｂは予熱具
６ａ，６ｂは折込み具
７ａ，７ｂはガイドレール
８ａ，８ｂは押し加熱具
９は上面押え具
１０ａ，１０ｂは冷却具
【図１】
2004099045.tif 000003
【図２】
2004099045.tif 000004
【図３】
2004099045.tif 000005
【図４】
2004099045.tif 000006
【図５】
2004099045.tif 000007
【図６】
2004099045.tif 000008
【図７】
2004099045.tif 000009
【図８】
2004099045.tif 000010
【図９】
2004099045.tif 000011
【図１０】
2004099045.tif 000012
【図１１】
2004099045.tif 000013